(57)【要約】【課題】従来の物干し竿は、ハンガーに掛かった洗濯物同士が風による影響で密着して、洗濯物の乾きを悪くする原因を作る。また、物干し竿の反り曲がりを促す。【解決手段】材質が弾性プラスチックの半円筒状部材ハンガースペーサー２を、縛り付けて固定した物干し竿１の上部に複数嵌め込んで、連続した仕切り溝３を羅列させることでハンガーフックの横滑りを防止する。半円筒状部材ハンガースペーサー２の構造は、取り付ける物干し竿１に合わさる大きさの半円筒部と、半円筒部から突起４させた四隅の角部とで構成し、半円筒部から突起４させた四隅の角部だけを物干し竿１の円心方向へ幾分入り込む構造にする事で、材質の弾力性を利用して物干し竿１にグリップする事ができる。【選択図】図１
2019072447.tif 000002
【特許請求の範囲】
【請求項１】
縛り付けることで上下の反転を止めた物干し竿の上部に嵌め込む長さ６ｃｍ程度の複数の半円筒形部材の相互間に設けた隙間に、ハンガーフックを挟み込ませる仕切り溝を形成した、材質が弾性プラスチックの物干し竿用ハンガーストッパーであって、前記半円筒形部材は、材質の弾力性を生かす為に、内側の直径は取り付ける物干し竿の直径よりも幾分小さい寸法に設定して、半円の大きさは物干し竿へ嵌め込んだ時に物干し竿の半円に一致して合わさるサイズで、前記半円筒形部材の四隅の角部だけを物干し竿の半円よりも長く突起させることで、物干し竿へ嵌め入れる部分の面積を減らし、前記物干し竿への嵌め込む抵抗を緩和して容易に取り付け出来ることを特徴とするハンガーストッパー。
【発明の詳細な説明】
【技術分野】
【０００１】  本発明は、風による影響で、ハンガーに掛かった洗濯物同士が密着して乾きが悪くなる原因を抑止する。それに加えて、物干し竿の反り曲りを緩和するハンガーストッパーに関するものである。
【背景技術】
【０００２】  特許文献１及び特許文献２には、物干し竿に溝を設ける用途において、材質は弾性の合成樹脂を使用し、嵌め込み式で着脱可能にしたものである。この欠点は出願された考案の材質の厚みを厚くすると物干し竿の長いスパンに嵌め入れることが硬くて容易でなく、厚みを薄くすると構造の耐久性が落ち、嵌め入れた時に内側のＲ寸法が物干し竿の直径寸法よりも大きく広がり、グリップできない。また、特許文献１、特許文献２の両者の考案も嵌め入れた時に上下の重心が片寄り、溝の部分が上下反転してしまう問題を生じる。【０００３】  本発明のハンガーストッパーは半円筒形で、縛り付けて上下の反転を抑止した物干し竿の上部に取り付けるものである。また、厚み４ｍｍ程のハンガーストッパーを容易に物干し竿へ嵌め込む技術は、半円筒形部材の四隅の角部だけを、物干し竿の半円よりも長く突起させることで、物干し竿への嵌め入れる抵抗を少なくし、材質の弾力性を利用して容易に固定できるものである。
【先行技術文献】
【特許文献】
【０００４】
【特許文献１】実用新案登録番号第３０４１６５５号公報
【特許文献２】特開２００４−１３６０５３号公報
【発明の概要】
【発明が解決しようとする課題】
【０００５】  従来の物干し竿は、風による影響で、ハンガーに掛かった洗濯物同士が密着して、乾きが悪くなる原因を作ります。また、洗濯物の重量が物干し竿の中央部分に集中して、物干し竿の反り曲りや、物干し竿がくの字に折れて、多くの人が不便さを感じています。
【課題を解決するための手段】
【０００６】  本発明は、固定することで上下の反転を止めた物干し竿に、長さ６ｃｍ程度の半円筒形ハンガーストッパーを連続して羅列させ、一定の間隔で仕切り溝を設けて、洗濯物を掛ける位置を固定することで、風によって洗濯物同士が密着することを防止する。それと共に物干し竿の反り曲りを和らげる。また、長期間使用して反り曲がった物干し竿であれば、物干し竿の上下の反転を止めるので、物干し竿を縛り付けて固定する必要条件を省いて、ハンガーストッパーを取り付けられる。
【発明の効果】
【０００７】  ハンガーストッパーの効果は、風によって洗濯物同士が密着することを防止する。それに加えて、洗濯物を万遍なく分散させるので、物干し竿の反り曲りを和らげる。【０００８】  しかし、それ以上に大きな特徴は、材料の色を換えるだけで、容易に複数のカラー製品を製造する事ができて、トリコロールカラーやツートンカラー等の様々なバリエーションの製品を作り出せ、色の組み合わせを選べることで、使い手好みのデザインが選択できる
【図面の簡単な説明】
【０００９】
【図１】図１は本発明のハンガーストッパーが、物干し竿に羅列した正面図。
【図２】図２は本発明のハンガーストッパーの斜視図。
【発明を実施するための形態】
【実施例】
【００１０】  添付図面に従って実施方法を説明する。本発明のハンガーストッパー２の材質は、弾性プラスチックで、４ｍｍ程の厚みを利用して仕切り溝３を構築する。【００１１】  ハンガーストッパー２の内側の直径は、取り付ける物干し竿１の外径よりも幾分小さいサイズで、物干し竿１へ嵌め込んだ時に物干し竿１の半円に合わさり、材質の弾力を利用して物干し竿１を掴まえる構造です。【００１２】  半円筒形ハンガーストッパー２の四隅の角部だけを、物干し竿１の半円よりも長く突起４させることで、物干し竿１へ嵌め込む部分の密着する面積を減らし、物干し竿１へ嵌め入れる抵抗を緩和して、容易に取り付けする事が出来る。
【産業上の利用可能性】
【００１３】  本発明のハンガーストッパーは自然法則に基づく最小限の構造で製造コストを削減する
【符号の説明】
【００１４】  １  物干し竿
２  ハンガーストッパー
３  仕切り溝
４  突起
【図１】
2019072447.tif 000003
【図２】
2019072447.tif 000004
【手続補正書】
【提出日】平成29年11月15日(2017.11.15)
【手続補正１】
【補正対象書類名】特許請求の範囲
【補正対象項目名】全文
【補正方法】変更
【補正の内容】
【特許請求の範囲】
【請求項１】
縛り付けることで上下の反転を止めた物干し竿の上部に嵌め込んだ長さ６ｃｍ程度の複数の半円筒状部材の相互間に設けた隙間に、ハンガーフックを挟み込ませる仕切り溝を形成した物干し竿用ハンガーストッパーであって、前記半円筒状部材は、材質が弾性プラスチックで、構造は取り付ける物干し竿に合わさる大きさの半円筒部と、前記半円筒部から突起させた四隅の角部とで構成し、前記半円筒部から突起させた四隅の角部だけを前記物干し竿の円心方向へ幾分入り込む構造にする事で、材質の弾力性を利用して前記物干し竿にグリップさせることを特徴とするハンガーストッパー。
【手続補正２】
【補正対象書類名】明細書
【補正対象項目名】０００２
【補正方法】変更
【補正の内容】
【０００２】  特許文献１及び特許文献２には、物干し竿に溝を設ける用途において、材質は弾性の合成樹脂を使用し、嵌め込み式で着脱可能にしたものである。この欠点は出願された考案の材質の厚みを厚くすると物干し竿の長いスパンに嵌め入れることが硬くて容易でなく、厚みを薄くすると構造の耐久性が落ち、嵌め入れた時に内側の半径寸法が物干し竿の直径寸法よりも大きく広がり、グリップできない。また、特許文献１、特許文献２の両者の考案も嵌め入れた時に上下の重心が片寄り、溝の部分が上下反転してしまう問題を生じる。
【手続補正３】
【補正対象書類名】明細書
【補正対象項目名】０００３
【補正方法】変更
【補正の内容】
【０００３】  本発明のハンガーストッパーは厚みが４ｍｍ程の半円筒状部材で、縛り付けて上下の反転を抑止した物干し竿の上部に複数取り付けるものである。ハンガーストッパーの材質は弾性プラスチックで、構造は取り付ける物干し竿に合わさる大きさの半円筒部と、半円筒部から突起させた四隅の角部とで構成して、物干し竿への嵌め入れる抵抗を少なくする。また、半円筒部から突起させた四隅の角部だけを物干し竿の円心方向へ幾分入り込む構造にする事で、材質の弾力性を利用して物干し竿にグリップさせる事ができる。
【手続補正４】
【補正対象書類名】明細書
【補正対象項目名】０００６
【補正方法】変更
【補正の内容】
【０００６】  本発明は、固定することで上下の反転を止めた物干し竿に、長さ６ｃｍ程度の半円筒状部材ハンガーストッパーを連続して羅列させ、一定の間隔で仕切り溝を設けて、洗濯物を掛ける位置を固定することで、風によって洗濯物同士が密着することを防止する。それと共に物干し竿の反り曲りを和らげる。また、長期間使用して反り曲がった物干し竿であれば、物干し竿の上下の反転を止めるので、物干し竿を縛り付けて固定する必要条件を省いて、ハンガーストッパーを取り付けられる。
【手続補正５】
【補正対象書類名】明細書
【補正対象項目名】００１１
【補正方法】変更
【補正の内容】
【００１１】  半円筒状部材ハンガーストッパー２の構造は、取り付ける物干し竿１に合わさる大きさの半円筒部と、半円筒部から突起４させた四隅の角部とで構成する。
【手続補正６】
【補正対象書類名】明細書
【補正対象項目名】００１２
【補正方法】変更
【補正の内容】
【００１２】  また、半円筒部から突起４させた四隅の角部だけを物干し竿１の円心方向へ幾分入り込む構造にする事で、材質の弾力性を利用して物干し竿１にグリップさせる事ができる。
【手続補正書】
【提出日】平成30年6月4日(2018.6.4)
【手続補正１】
【補正対象書類名】特許請求の範囲
【補正対象項目名】全文
【補正方法】変更
【補正の内容】
【特許請求の範囲】
【請求項１】
縛り付けることで上下の反転を止めた物干し竿の上部に嵌め込んだ長さ６ｃｍ程度の複数の半円筒状部材の相互間に設けた隙間に、ハンガーフックを挟み込ませる仕切り溝を形成した物干し竿用ハンガーストッパーであって、前記半円筒状部材は、材質が弾性プラスチックで、構造は取り付ける物干し竿に合わさる大きさの半円筒部と、前記半円筒部から突起させた四隅の角部とで構成し、前記半円筒部から突起させた四隅の角部だけを前記物干し竿の円心方向へ幾分入り込む構造にする事で、材質の弾力性を利用して前記物干し竿にグリップさせることを特徴とするハンガーストッパー。
【請求項２】
物干し竿に嵌め込む長さ６ｃｍ程度の半円筒状部材同士を上下で組み合わせて円筒を作り出し、複数の前記円筒の相互間に設けた隙間にハンガーフックを挟み込ませる仕切り溝を形成した物干し竿用ハンガーストッパーであって、前記半円筒状部材は、材質が弾性プラスチックで、構造は取り付ける物干し竿に合わさる大きさの半円筒部と、前記半円筒部の中央から部分的に突起させた凸部と、前記凸部と対向する位置に同形の凸部を設け、同一形状の前記半円筒状部材同士を上下で組み合わせて一体化した円筒を造る為に、前記凸部同士が互いに向かい合って嵌る部分へ前記凸部とは形状が反転する凹部を設け、前記凸部だけが前記物干し竿の円心方向へ幾分入り込む構造にすることで、材質の弾力性を利用して前記物干し竿にグリップさせることを特徴とするハンガーストッパー。
【手続補正２】
【補正対象書類名】明細書
【補正対象項目名】０００９
【補正方法】変更
【補正の内容】
【０００９】
【図１】図１は本発明のハンガーストッパーが、物干し竿に羅列した正面図。
【図２】図２は本発明のハンガーストッパーの斜視図。
【図３】図３は特許請求の範囲における請求項２のハンガーストッパーが上下で組み合わせて物干し竿に羅列した正面図。
【図４】図４は特許請求の範囲における請求項２のハンガーストッパーの斜視図。
【手続補正３】
【補正対象書類名】明細書
【補正対象項目名】００１４
【補正方法】変更
【補正の内容】
【００１４】１  物干し竿
２  ハンガーストッパー
３  仕切り溝
４  突起
５  凸部
６  凹部
【手続補正４】
【補正対象書類名】図面
【補正対象項目名】図３
【補正方法】追加
【補正の内容】
【図３】
2019072447.tif 000005
【手続補正５】
【補正対象書類名】図面
【補正対象項目名】図４
【補正方法】追加
【補正の内容】
【図４】
2019072447.tif 000006
【手続補正書】
【提出日】平成30年9月19日(2018.9.19)
【手続補正１】
【補正対象書類名】特許請求の範囲
【補正対象項目名】全文
【補正方法】変更
【補正の内容】
【特許請求の範囲】
【請求項１】
縛り付けることで上下の反転を止めた物干し竿の上部に嵌め込んだ長さ６ｃｍ程度の複数の半円筒状部材の相互間に設けた隙間に、ハンガーフックを挟み込ませる仕切り溝を形成した物干し竿用ハンガースペーサーであって、前記半円筒状部材は、材質が弾性プラスチックで、構造は取り付ける物干し竿に合わさる大きさの半円筒部と、前記半円筒部から突起させた四隅の角部とで構成し、前記半円筒部から突起させた四隅の角部だけを前記物干し竿の円心方向へ幾分入り込む構造にする事で、材質の弾力性を利用して前記物干し竿にグリップさせることを特徴とするハンガースペーサー。
【請求項２】
物干し竿に嵌め込む長さ６ｃｍ程度の半円筒状部材同士を上下で組み合わせて円筒を作り出し、複数の前記円筒の相互間に設けた隙間にハンガーフックを挟み込ませる仕切り溝を形成した物干し竿用ハンガースペーサーであって、前記半円筒状部材は、材質が弾性プラスチックで、構造は取り付ける物干し竿に合わさる大きさの半円筒部と、前記半円筒部の中央から部分的に突起させた凸部と、前記凸部と対向する位置に同形の凸部を設け、同一形状の前記半円筒状部材同士を上下で組み合わせて一体化した円筒を造る為に、前記凸部同士が互いに向かい合って嵌る部分へ前記凸部とは形状が反転する凹部を設け、前記凸部だけが前記物干し竿の円心方向へ幾分入り込む構造にすることで、材質の弾力性を利用して前記物干し竿にグリップさせることを特徴とするハンガースペーサー。
【手続補正３】
【補正対象書類名】明細書
【補正対象項目名】０００１
【補正方法】変更
【補正の内容】
【０００１】  本発明は、風による影響で、ハンガーに掛かった洗濯物同士が密着して乾きが悪くなる原因を抑止する。それに加えて、物干し竿の反り曲りを緩和するハンガースペーサーに関するものである。
【手続補正４】
【補正対象書類名】明細書
【補正対象項目名】０００３
【補正方法】変更
【補正の内容】
【０００３】  本発明のハンガースペーサーは厚みが４ｍｍ程の半円筒状部材で、縛り付けて上下の反転を抑止した物干し竿の上部に複数取り付けるものである。ハンガースペーサーの材質は弾性プラスチックで、構造は取り付ける物干し竿に合わさる大きさの半円筒部と、半円筒部から突起させた四隅の角部とで構成して、物干し竿への嵌め入れる抵抗を少なくする。また、半円筒部から突起させた四隅の角部だけを物干し竿の円心方向へ幾分入り込む構造にする事で、材質の弾力性を利用して物干し竿にグリップさせる事ができる。
【手続補正５】
【補正対象書類名】明細書
【補正対象項目名】０００６
【補正方法】変更
【補正の内容】
【０００６】  本発明は、固定することで上下の反転を止めた物干し竿に、長さ６ｃｍ程度の半円筒状部材ハンガースペーサーを連続して羅列させ、一定の間隔で仕切り溝を設けて、洗濯物を掛ける位置を固定することで、風によって洗濯物同士が密着することを防止する。それと共に物干し竿の反り曲りを和らげる。また、長期間使用して反り曲がった物干し竿であれば、物干し竿の上下の反転を止めるので、物干し竿を縛り付けて固定する必要条件を省いて、ハンガースペーサーを取り付けられる。
【手続補正６】
【補正対象書類名】明細書
【補正対象項目名】０００７
【補正方法】変更
【補正の内容】
【０００７】  ハンガースペーサーの効果は、風によって洗濯物同士が密着することを防止する。それに加えて、洗濯物を万遍なく分散させるので、物干し竿の反り曲りを和らげる。
【手続補正７】
【補正対象書類名】明細書
【補正対象項目名】０００９
【補正方法】変更
【補正の内容】
【０００９】
【図１】図１は本発明のハンガースペーサーが、物干し竿に羅列した正面図。
【図２】図２は本発明のハンガースペーサーの斜視図。
【図３】図３は特許請求の範囲における請求項２のハンガースペーサーが上下で組み合わせて物干し竿に羅列した正面図。
【図４】図４は特許請求の範囲における請求項２のハンガースペーサーの斜視図。
【手続補正８】
【補正対象書類名】明細書
【補正対象項目名】００１０
【補正方法】変更
【補正の内容】
【００１０】  添付図面に従って実施方法を説明する。本発明のハンガースペーサー２の材質は、弾性プラスチックで、４ｍｍ程の厚みを利用して仕切り溝３を構築する。
【手続補正９】
【補正対象書類名】明細書
【補正対象項目名】００１１
【補正方法】変更
【補正の内容】
【００１１】  半円筒状部材ハンガースペーサー２の構造は、取り付ける物干し竿１に合わさる大きさの半円筒部と、半円筒部から突起４させた四隅の角部とで構成する。
【手続補正１０】
【補正対象書類名】明細書
【補正対象項目名】００１３
【補正方法】変更
【補正の内容】
【００１３】  本発明のハンガースペーサーは自然法則に基づく最小限の構造で製造コストを削減する
【手続補正１１】
【補正対象書類名】明細書
【補正対象項目名】００１４
【補正方法】変更
【補正の内容】
【００１４】  １  物干し竿
２  ハンガースペーサー
３  仕切り溝
４  突起
５  凸部
６  凹部
【手続補正書】
【提出日】平成30年12月26日(2018.12.26)
【手続補正１】
【補正対象書類名】特許請求の範囲
【補正対象項目名】全文
【補正方法】変更
【補正の内容】
【特許請求の範囲】
【請求項１】
縛り付けることで上下の反転を止めた物干し竿の上部に嵌め込んだ長さ６ｃｍ程度の複数の半円筒状部材の相互間に設けた隙間に、ハンガーフックを挟み込ませる仕切り溝を形成した物干し竿用ハンガースペーサーであって、前記半円筒状部材は、材質が弾性プラスチックで、構造は取り付ける物干し竿に合わさる大きさの半円筒部と、前記半円筒部から突起させた四隅の角部とで構成し、前記半円筒部から突起させた四隅の角部だけを前記物干し竿の円心方向へ幾分入り込む構造にする事で、材質の弾力性を利用して前記物干し竿にグリップさせることを特徴とするハンガースペーサー。
【請求項２】
物干し竿に嵌め込む長さ６ｃｍ程度の半円筒状部材同士を上下で組み合わせて円筒を作り出し、複数の前記円筒の相互間に設けた隙間にハンガーフックを挟み込ませる仕切り溝を形成した物干し竿用ハンガースペーサーであって、前記半円筒状部材は、材質が弾性プラスチックで、構造は取り付ける物干し竿に合わさる大きさの半円筒部と、前記半円筒部の中心を境に部分的に突起させた凸部と、前記凸部と対向する位置に同形の凸部を設け、同一形状の前記半円筒状部材同士を上下で組み合わせて一体化した円筒を造る為に、前記凸部同士が互いに向かい合って嵌る部分へ前記凸部とは形状が反転する凹部を設け、前記凸部だけが前記物干し竿の円心方向へ幾分入り込む構造にすることで、材質の弾力性を利用して前記物干し竿にグリップさせることを特徴とするハンガースペーサー。
【手続補正２】
【補正対象書類名】明細書
【補正対象項目名】０００６
【補正方法】変更
【補正の内容】
【０００６】  本発明は、固定することで上下の反転を止めた物干し竿に、長さ６ｃｍ程度の半円筒状部材ハンガースペーサーを連続して羅列させ、一定の間隔で仕切り溝を設けて、洗濯物を掛けるハンガーの位置を仕切り溝部分に固定することで、風によって洗濯物同士が密着することを防止する。それと共に物干し竿の反り曲りを和らげる。また、長期間使用して反り曲がった物干し竿であれば、物干し竿の上下の反転を止めるので、物干し竿を縛り付けて固定する必要条件を省いて、ハンガースペーサーを取り付けられる。